(57)【要約】【課題】ＭＢＭＳサービスにおけるページング処理において、ページングによる無線チャネルの輻輳をなくして、他のサービスを行っているＵＥに対する影響を防止する。【解決手段】ＵＥ固有の識別子であるＩＭＳＩを使用する代りに、ＭＢＭＳサービス固有の識別子であるＴＭＧＩ（Ｔｅｍｐｏｒａｒｙ  Ｍｏｂｉｌｅ  Ｇｒｏｕｐ  Ｉｄｅｎｔｉｆｙ  ）を用い、このＴＭＧＩに基いてページングメッセージの作成、Ｐａｇｉｎｇ  Ｏｃｃａｓｉｏｎ  （ＰＩＣＨの送信フレームタイミング）やＰＩビットマップの決定をなす。これにより、同一のＭＢＭＳサービスに加入しているＵＥ群２０を単位として、ページングメッセージの送信が可能となるので、ページングメッセージ送信による無線チャネルの輻輳がなくなる。【選択図】      図６
2004221759.tif 000002
【特許請求の範囲】
【請求項１】
同一サービスのデータを複数の無線端末へ配信する機能を有する移動通信システムであって、
前記サービスの配信を受ける無線端末に対するページングのための情報を、前記サービス固有の識別情報を用いて生成するようにしたことを特徴とする移動通信システム。
【請求項２】
前記ページングのための情報は、ページングメッセージを送信する下り共通チャネルと、この下り共通チャネルに付随しかつ前記サービスの配信を受ける無線端末に対する着信の有無を示す情報を送信するページングインジケータチャネルとを含み、
前記着信の有無を示す情報と、この情報の送信タイミングとを、前記サービス固有の識別情報により生成することを特徴とする請求項１記載の移動通信システム。
【請求項３】
前記サービス固有の識別情報を、前記ページングインジケータチャネルにおける音声着信の有無を示すページンググループ（着信群）のための表示ビットに重畳するようにしたことを特徴とする請求項２記載の移動通信システム。
【請求項４】
前記サービス固有の情報は、前記サービスを受ける無線端末へ通知され、前記無線端末は、前記サービス固有の情報に基づき前記ページングのための情報を受信するようにしたことを特徴とする請求項１〜３いずれか記載の移動通信システム。
【請求項５】
同一サービスのデータを複数の無線端末へ配信する機能を有する移動通信システムにおける無線制御装置であって、
前記サービスの配信を受ける無線端末に対するページングのための情報を、前記サービス固有の識別情報を用いて生成する手段を含むことを特徴とする無線制御装置。
【請求項６】
前記ページングのための情報は、ページングメッセージを送信する下り共通チャネルと、この下り共通チャネルに付随しかつ前記サービスの配信を受ける無線端末に対する着信の有無を示す情報を送信するページングインジケータチャネルとを含み、
前記手段は、前記着信の有無を示す情報と、この情報の送信タイミングとを、前記サービス固有の識別情報により生成することを特徴とする請求項５記載の無線制御装置。
【請求項７】
前記サービス固有の識別情報を、前記ページングインジケータチャネルにおける音声着信の有無を示すページンググループ（着信群）のための表示ビットに重畳するようにしたことを特徴とする請求項６記載の無線制御装置。
【請求項８】
前記着信の有無を示す情報（Ｐａｇｉｎｇ  Ｉｎｄｉｃａｔｏｒ：ＰＩ）を、
2004221759.tif 000003
なる式により決定することを特徴とする請求項６または７記載の無線制御装置。
【請求項９】
前記送信タイミング（Ｐａｇｉｎｇ  Ｏｃｃａｓｉｏｎ  ：ＰＯ）を、
2004221759.tif 000004
なる式により決定することを特徴とする請求項６〜８いずれか記載の無線制御装置。
【請求項１０】
同一サービスのデータを複数の無線端末へ配信する機能を有する移動通信システムにおける無線制御装置の動作制御方法であって、
前記サービスの配信を受ける無線端末に対するページングのための情報を、前記サービス固有の識別情報を用いて生成するステップを含むことを特徴とする動作制御方法。
【請求項１１】
前記ページングのための情報は、ページングメッセージを送信する下り共通チャネルと、この下り共通チャネルに付随しかつ前記サービスの配信を受ける無線端末に対する着信の有無を示す情報を送信するページングインジケータチャネルとを含み、
前記ステップは、前記着信の有無を示す情報と、この情報の送信タイミングとを、前記サービス固有の識別情報により生成することを特徴とする請求項１０記載の動作制御方法。
【請求項１２】
前記サービス固有の識別情報を、前記ページングインジケータチャネルにおける音声着信の有無を示すページンググループ（着信群）のための表示ビットに重畳するようにしたことを特徴とする請求項１１記載の動作制御方法。
【請求項１３】
前記着信の有無を示す情報（Ｐａｇｉｎｇ  Ｉｎｄｉｃａｔｏｒ：ＰＩ）を、
2004221759.tif 000005
なる式により決定することを特徴とする請求項１１または１２記載の動作制御方法。
【請求項１４】
前記送信タイミング（Ｐａｇｉｎｇ  Ｏｃｃａｓｉｏｎ  ：ＰＯ）を、
2004221759.tif 000006
なる式により決定することを特徴とする請求項１１〜１３いずれか記載の動作制御方法。
【請求項１５】
同一サービスのデータを複数のユーザへ配信する機能を有する移動通信システムにおける無線端末であって、
前記サービスへの加入時に、前記サービス固有の識別情報を網側から受信して、この識別情報に基づいてページングのための情報を受信するようにしたことを特徴とする無線端末。
【請求項１６】
同一サービスのデータを複数の無線端末へ配信する機能を有する移動通信システムにおける無線制御装置の動作制御方法をコンピュータにより実行させるためのプログラムであって、
前記サービスの配信を受ける無線端末に対するページングのための情報を、前記サービス固有の識別情報を用いて生成するステップを含むことを特徴とするコンピュータ読取り可能なプログラム。
【発明の詳細な説明】
【０００１】
【発明の属する技術分野】
本発明は移動通信システム及びそれに用いる無線端末並びに無線制御装置及びその動作制御方法に関し、特に音声や画像などの大容量コンテンツを有する同一のサービスデータを複数の無線端末（ユーザ）へ配信する機能を有する移動通信システム及びそれに用いる無線端末並びに無線制御装置及びその動作制御方法に関するものである。
【０００２】
【従来の技術】
ＷＣＤＭＡ移動通信システムにおいては、特定のＵＥ（無線端末）向けのユーザデータが届いたこと（または着信があったこと）をＣＮ（コアネットワーク）からＲＮＣ（無線制御装置）に報告を受けることをトリガとして、ページング信号の処理が起動する。ページング信号には、ページングメッセージが含まれる。ページング信号には、それに付随する信号があり、ＵＥはその付随する信号を受信し、ページング信号を受信すべきか判断する。付随する信号にはページング識別子ＰＩ（Ｐａｇｉｎｇ  Ｉｎｄｉｃａｔｉｏｎ  ）が載っている。このページング識別子ＰＩは複数のＵＥの識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｙ）に対応している。
【０００３】
具体的に述べると、ＮｏｄｅＢとＵＥとの間における無線チャネルにおいて、ページング信号は、下り方向の共通チャネルであるＳ−ＣＣＰＣＨ（Ｓｅｃｏｎｄａｒｙ−Ｃｏｍｍｏｎ  Ｃｏｎｔｒｏｌ  Ｃｈａｎｎｅｌ）にマッピングされる。この信号に付随する信号はＰＩＣＨ（Ｐａｇｉｎｇ  Ｉｎｄｉｃａｔｏｒ  Ｃｈａｎｎｅｌ）であり、各ページンググループ（着信群）に対する着信情報の有無を送信するための信号である。例えば、あるページンググループ＃ｎに属するＵＥは、このＰＩＣＨにて当該ページンググループ＃ｎに対する着信ありと通知された場合に、Ｓ−ＣＣＰＣＨにマッピングされた対応する無線フレーム内のＰＣＨ（Ｐａｇｉｎｇ  Ｃｈａｎｎｅｌ）を受信することになる。
【０００４】
このＰＣＨのページング信号を受信したＵＥは、ページングメッセージに自分の端末番号である識別子が含まれるか確認し、自分の識別子が含まれていたときは、自分宛にユーザデータが届いたこと（または、着信があったこと）を認識するのである。ページングメッセージには、複数のＵＥの識別子（ＩＭＳＩ）を載せることができる。これにより、複数のＣＮから同時に着信の報告があっても、１つのページングメッセージに多重化することができる。多重化することにより、全体のページングメッセージの信号量を減らすことができる。
【０００５】
ＲＮＣは適切な端末番号を含むページングメッセージを作成する必要がある。ページング信号はある特定のタイミングで送信される。ＵＥはこのタイミングを知っていれば、常にページング信号を待っている必要はないので、電力の節約になる。このように、ＵＥがページング信号を待っている状態を待ち受け状態という。ＵＥはこの待ち受け状態の時にページング信号を周期的に受信する。ページング信号の繰り返しの送信回数を増やせば、ＵＥがページング信号を受信する確率が増加する。その反面、下りの無線資源を無駄に使うことになる。
【０００６】
ＲＮＣはあるＵＥに対するページング信号の送信タイミングを計算し、その結果をＮｏｄｅＢ（無線基地局）に指示する。ＮｏｄｅＢに指示する内容はページング信号に付随する信号（ＰＩＣＨ）を生成するために必要な情報と、ページング信号の送信タイミングである。ＲＮＣは、ＮｏｄｅＢがページング信号（ページング信号に付随する信号）を送信するタイミング（ページングオケイジョン：Ｐａｇｉｎｇ  Ｏｃｃａｓｉｏｎ  ）を指示する必要がある。また、そのタイミングに間に合うように、ＮｏｄｅＢへ必要な信号を送信する必要がある。また、ＲＮＣはページング信号に付随する信号を生成するために必要な情報としてページング識別子ＰＩを決定する必要がある。
【０００７】
上述したページング処理に関しては、非特許文献１，２に詳細に開示されており、以下に、図面を参照しつつ更に説明する。上記のＳ−ＣＣＰＣＨは、１つのＳ−ＣＣＰＣＨにＵＥが集中するのを防止するために、複数のＳ−ＣＣＰＣＨが使用され、そのなかからＵＥの識別子であるＩＭＳＩを用いて、該当するＳ−ＣＣＰＣＨが選択されるようになっている。例えば、図７に示すように、Ｓ−ＣＣＰＣＨが２つの場合、複数のＵＥ２０が存在するネットワークでは、（ＩＭＳＩ）ｍｏｄ（２）なる式を計算して、選択すべきＳ−ＣＣＰＣＨが決定される。
【０００８】
次に、図８のＰＩＣＨのフレーム番号の例に示すように、ＵＥの待受け時におけるＤＲＸ（Ｄｉｓｃｏｎｔｉｎｕｏｓ  Ｒｅｃｅｐｔｉｏｎ）サイクル（ｃｙｃｌｅ  ｌｅｎｇｔｈ）毎に、ＵＥには１つのＰａｇｉｎｇ  Ｏｃｃａｓｉｏｎ  が割当てられるようになっているので、このＰａｇｉｎｇ  Ｏｃｃａｓｉｏｎ  によってページングを実施するためのＰＩＣＨのＳＦＮ（Ｓｅｒｉａｌ  ＦｒａｍｅＮｕｍｂｅｒ  ）の周期を認識することができる。この処理により、ＵＥは同じＳＦＮからページング処理を行う複数のグループに分割されることになる。すなわち、このＰａｇｉｎｇ  Ｏｃｃａｓｉｏｎ  はＰＩＣＨのＳＦＮを決定することに等しいが、このＳＦＮはＩＭＳＩとＤＲＸ  ｃｙｃｌｅ  ｌｅｎｇｔｈ  とにより決定されるようになっている。
【０００９】
よって、ＩＭＳＩにより、同じＳ−ＣＣＰＣＨを使用するＵＥを、例えば、図９に示すように、複数のグループＡ〜Ｃに分割することができることになる。いま、ＤＲＸ  ｃｙｃｌｅ  ｌｅｎｇｔｈ  が、図８に示したように、“１２８”の場合、図１０に示すように、
グループＡ：ＳＦＮ＝０，１２８，２５６，…のタイミングでページング処理を実行（自分宛に着信があるかチェック）；
グループＢ：ＳＦＮ＝１，１２９，２５７，…のタイミングでページング処理を実行（自分宛に着信があるかチェック）；
グループＣ：ＳＦＮ＝２，１３０，２５８，…のタイミングでページング処理を実行（自分宛に着信があるかチェック）；
することになる。
【００１０】
こうして、ページング処理を開始するＳＦＮ（Ｐａｇｉｎｇ  Ｏｃｃａｓｉｏｎ  ）が決定されると、今度は、ページング要求があるかどうかを知るために、ＰＩＣＨ内のページング識別子（ＰＩ）のビットマップ位置の決定が必要となる。このＰＩＣＨの１フレーム内に設定できるＰＩの数Ｎｐ  は予め定義されており（Ｎｐ  ＝１８，３６，７２，１４４）、ＩＭＳＩを用いて該当するＰＩのビット位置が決定される。
【００１１】
例えば、グループＡのＵＥを、ＰＩによって、図１１に示すように、更に細かなグループ（ＰＩ０  ，ＰＩ１  ，ＰＩ２  ）に分割することができる。ＰＩＣＨのフレーム構成は図１２のようになっており、０〜２８７ビットの合計２８８ビットのＰＩが存在し、Ｎｐ  の値によりＰＩの連続ビット数が異なるものである（図１３参照）。なお、２８８〜２９９ビットの合計１２ビットは、未使用である。ＵＥは該当するビットをチェックして、ページングが送信されているかどうかを判断するのである。最後に、ページング信号を待受けているＵＥは、ＩＭＳＩを元に自分宛のページングであるかのチェックを行い、最終的に該当するＵＥが決定されることになる。
【００１２】
なお、上述したＰａｇｉｎｇ  Ｏｃｃａｓｉｏｎ  （ＰＯ）の決定方法及びＰＩビットマップの決定方法については、非特許文献２に詳細に定義されており、図１４及び図１５に、その決定のための式（１）及び（２）をそれぞれ引用して示している。これ等式において、“ｄｉｖ”は除算を示し、“ｍｏｄ”はその剰余を示す。
【００１３】
【非特許文献１】
２００１年丸善株式会社発行、立川敬二監修の「Ｗ−ＣＤＭＡ移動通信方式」ｐ．１１４〜１１５，２２２〜２２３
【非特許文献２】
３ＧＰＰ  ＴＳ２５．３０４  第８章
【００１４】
【発明が解決しようとする課題】
かかる移動通信システムにおいて、複数のユーザに対して、音声や画像を含む大容量の同一コンテンツのデータを配信するサービスがあり、かかるサービスはＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）と称されている。図１６を参照すると、ＢＭＳＣ（Ｂｒｏａｄｃａｓｔ  Ｍｕｌｔｉｃａｓｔ  Ｓｅｒｖｉｃｅ  Ｃｅｎｔｅｒ）１はＧＧＳＮ（Ｇａｔｅｗａｙ  ＧＰＲＳ（Ｇｅｎｅｒａｌ  Ｐａｃｋｅｔ  Ｓｅｒｖｉｃｅ）  Ｓｕｐｐｏｒｔ  Ｎｏｄｅ  ）２及びＳＧＳＮ（Ｓｅｒｖｉｎｇ  ＧＰＲＳ  Ｓｕｐｐｏｒｔ  Ｎｏｄｅ  ）３を介してＲＮＣ（Ｒａｄｉｏ  Ｎｅｔｗｏｒｋ  Ｃｏｎｔｒｏｌｌｅｒ：無線制御装置）４へ接続されている。
【００１５】
ＲＮＣ４はその配下にＮｏｄｅＢ（無線基地局）６を有し、ＮｏｄｅＢ６はサービスエリアである１つまたは複数のセルをカバーするようになっているが、図では、簡単化のために、１つのセル９をカバーするように示している。２０はＵＥ（ユーザイクイップメント）であり、無線端末を示す。
【００１６】
かかる構成において、セル９内の複数のＵＥ２０が同一のＭＢＭＳサービスを受けるものとする。ＢＭＳＣ１よりＭＢＭＳサービスデータを配信することを告知するための“ＭＢＭＳ  ＮＯＴＩＦＩＣＡＴＩＯＮ  ”メッセージが、ＧＧＳＮ２、ＳＧＳＮ３を介してＲＮＣ４へ送信されると、ＲＮＣ４では、当該ＭＢＭＳサービスを享受するユーザの無線端末のＩＭＳＩに基づいて、上述したＰＯ（Ｐａｇｉｎｇ  Ｏｃｃａｓｉｏｎ  ）及びＰＩ（Ｐａｇｉｎｇ  Ｉｎｄｉｃａｔｏｒ）を決定して、ページングメッセージを作成し、該当するＵＥへ送出する。
【００１７】
この場合、ページングメッセージは、個々のＵＥ固有のＩＭＳＩを用いて作成されるので、ＭＢＭＳサービスに加入しているＵＥの数だけ、ページングメッセージが送信されることになり、ページングによる無線チャネルの輻輳が発生することになり、他のサービスを行っているＵＥに対して悪影響を及ぼすという問題がある。
【００１８】
本発明の目的は、ＭＢＭＳのサービスにおけるページング処理において、ページングによる無線チャネルの輻輳をなくして、他のサービスを行っているＵＥに対する影響を防止可能な移動通信システム及びそれに用いる無線端末並びに無線制御装置及びその動作制御方法を提供することである。
【００１９】
【課題を解決するための手段】
本発明による移動通信システムは、同一サービスのデータを複数の無線端末へ配信する機能を有する移動通信システムであって、前記サービスの配信を受ける無線端末に対するページングのための情報を、前記サービス固有の識別情報を用いて生成するようにしたことを特徴とする。
【００２０】
本発明による無線制御装置は、同一サービスのデータを複数の無線端末へ配信する機能を有する移動通信システムにおける無線制御装置であって、前記サービスの配信を受ける無線端末に対するページングのための情報を、前記サービス固有の識別情報を用いて生成する手段を含むことを特徴とする。
【００２１】
本発明による無線制御装置の動作制御方法は、同一サービスのデータを複数の無線端末へ配信する機能を有する移動通信システムにおける無線制御装置の動作制御方法であって、前記サービスの配信を受ける無線端末に対するページングのための情報を、前記サービス固有の識別情報を用いて生成するステップを含むことを特徴とする。
【００２２】
本発明による無線端末は、同一サービスのデータを複数のユーザへ配信する機能を有する移動通信システムにおける無線端末であって、前記サービスへの加入時に、前記サービス固有の識別情報を網側から受信して、この識別情報に基づいてページングのための情報を受信するようにしたことを特徴とする。
【００２３】
本発明によるプログラムは、同一サービスのデータを複数の無線端末へ配信する機能を有する移動通信システムにおける無線制御装置の動作制御方法をコンピュータにより実行させるためのプログラムであって、前記サービスの配信を受ける無線端末に対するページングのための情報を、前記サービス固有の識別情報を用いて生成するステップを含むことを特徴とする。
【００２４】
本発明の作用を述べる。ＵＥ固有の識別子であるＩＭＳＩを使用する代りに、ＭＢＭＳサービス固有の識別子であるＴＭＧＩ（Ｔｅｍｐｏｒａｒｙ  Ｍｏｂｉｌｅ  Ｇｒｏｕｐ  Ｉｄｅｎｔｉｆｙ  ）を用い、このＴＭＧＩに基づいてページングメッセージの作成、ＰＯやＰＩの決定をなすものである。こうすることにより、同一のＭＢＭＳサービスに加入しているＵＥ群を単位としてページング処理が可能となるので、ページング処理による無線チャネルの輻輳がなくなる。
【００２５】
【発明の実施の形態】
以下に図面を参照しつつ本発明の実施の形態につき説明する。図１は本発明の実施の形態が適用される移動通信システムの概略ブロック図であり、図１６と同等部分は同一符号にて示している。図を参照すると、ＢＭＳＣ１はＩＰ（Ｉｎｔｅｒｎｅｔ  Ｐｒｏｔｏｃｏｌ  ）網３０に接続されると共に、ＧＧＳＮ２及びＳＧＳＮ３を介して複数のＲＮＣ（無線制御装置）４，５へ接続されている。
【００２６】
ＲＮＣ４はその配下にＮｏｄｅＢ（無線基地局）６，７を有し、またＲＮＣ５はその配下にＮｏｄｅＢ８を有している。ＮｏｄｅＢ６〜８はそれぞれサービスエリアである１つまたは複数のセル９〜１１をカバーするようになっているが、図では、簡単化のために、各ＮｏｄｅＢは１つのセルをカバーするように示している。なお、各セル内には、特に図示しないが、ＵＥ（ユーザイクイップメント）である無線端末が在圏しているものとする。
【００２７】
なお、ＳＧＳＮ３とＲＮＣ４，５との間のインタフェースはＩｕと称され、またＲＮＣ４，５とＮｏｄｅＢ６〜８との間のインタフェースはＩｕｂと称されている。更に、ＲＮＣ間のインタフェースとしてＩｕｒも存在している。
【００２８】
図２は本発明のＲＮＣの実施の形態を示す概略機能ブロック図である。図において、ＴＭＧＩ取得部２１は、ＢＭＳＣ１からＭＢＭＳサービスデータを配信することを告知するための“ＭＢＭＳ  ＮＯＴＩＦＩＣＡＴＩＯＮ  ”メッセージを、通信部２５を介して受信すると、このメッセージに含まれているＴＭＧＩを取得するものである。このＴＭＧＩはＭＢＭＳサービスを識別するために、システムにおいて一時的に付与されるＭＢＭＳ固有のグループ識別子である。
【００２９】
ＰＡＧＩＮＧ  ＯＣＣＡＳＩＯＮ  決定部２２は先述したＰＩＣＨのフレームタイミング（ＰＯ）を決定するものでありＴＭＧＩ取得部２１にて取得したＴＭＧＩに基づいてＰＯを決定する。ＰＩビットマップ決定部２３は先述したＰＩＣＨのＰＩビットマップを決定するものであり、これまたＴＭＧＩ取得部２１により取得したＴＭＧＩに基づいてＰＩビットマップの決定を行う。
【００３０】
ページングメッセージ作成部２４はＰＡＧＩＮＧ  ＯＣＣＡＳＩＯＮ  決定部２２やＰＩビットマップ決定部２３にて決定されたＰＯやＰＩビットマップ、更にはＴＭＧＩにより、ページングメッセージを作成するものである。通信部２５はＮｏｄｅＢとの通信をなすと共に、上位装置であるＳＧＳＮ３との通信をなすものである。制御部２６はこれ等各部２１〜２５を制御するＣＰＵであり、メモリ２７に格納されているプログラム手順に従って各部の動作制御を行うものである。なお、メモリ２７はＣＰＵ２６の作業用メモリとしての機能をも有する。２８は共通バスである。
【００３１】
図３は本発明の実施の形態の動作を示す概略シーケンス図である。あるユーザがＭＢＭＳのサービスの享受を希望する場合、そのユーザのＵＥとＢＭＳＣ１との間で、予め定められた手順に従って“ＪＯＩＮＩＮＧ  ”処理（ステップＳ１）が行われる。この処理において、ＢＭＳＣ１からＵＥへ向けて、このＭＢＭＳのサービスを識別するためのＭＢＭＳ固有の識別子であるＴＭＧＩが送信されるので、ＵＥはこのＴＭＧＩを取得する（ステップＳ２）。
【００３２】
そして、ＭＢＳＣ１から、ＭＢＭＳサービスのコンテンツを配信することを告知するための“ＭＢＭＳ  ＮＯＴＯＦＩＣＡＴＩＯＮ  ”メッセージが、ＲＮＣへ送信される（ステップＳ３）と、ＲＮＣでは、このメッセージに含まれているＴＭＧＩを取得する（ステップＳ４）。このＴＭＧＩを用いて、ＰＡＧＩＮＧ  ＯＣＣＡＳＩＯＮ  決定部２２にて、ＰＩＣＨのフレームタイミング（ＰＯ）が決定される（ステップＳ５）。この場合、図５に示した（３）式を用いてＰＯが決定されることになる。
【００３３】
図５の（３）式と図１４の（１）式とを比較すると、（１）式においては、ＩＭＳＩを用いてページングのためのタイミング（ＰＯ）を決定していたが、本実施の形態では、ＴＭＧＩを用いてＰＯを決定している。また、ＰＩビットマップ決定部２３においても、ＴＭＧＩを用いてＰＩビットマップが決定される（ステップＳ６）。この場合も、図１５の（２）式におけるＩＭＳＩの代りに、図６の（４）式に示す如く、ＴＭＳＩを用いてＰＩビットマップが決定されることになる。
【００３４】
しかる後に、ページングメッセージ作成部２４にて、ページングメッセージが作成され（ステップＳ７）、ＰＩＣＨのＰＩに対応するＳ−ＣＣＰＣＨ上のＰＣＨに、このＭＢＭＳサービスのコンテンツデータを配信すべきＵＥ群を特定するＴＭＧＩが重畳されて送信されることになる（ステップＳ８）。ＵＥにおいては、ステップＳ２で取得したＴＭＧＩとＰＣＨ上のＴＭＧＩとを比較して一致したら、ＭＢＭＳのサービスデータの受信をなす。
【００３５】
図６は本発明の実施の形態の効果を説明するための図であり、図１６と同等部分は同一符号により示している。図１６の従来例では、Ｎｏｄｅ  Ｂ６から各ＵＥ２０（ＭＢＭＳサービスデータの配信を受けるＵＥ群）に対して、個々にページングメッセージが送出されるが、本例では、Ｎｏｄｅ  Ｂ６から各ＵＥ２０（ＭＢＭＳサービスデータの配信を受けるＵＥ群）に対して共通のページングメッセージが送信される。従来例では、ＵＥの各々に対して、個々の識別子であるＩＭＳＩを用いてページングメッセージを作成していたのを、本発明では、ＭＢＭＳサービスを受けるＵＥ群に対して、当該サービス固有のＴＭＧＩを用いてページングメッセージを作成するようにしたので、このＵＥ群に対して共通のページングメッセージが送信されることになり、輻輳の発生は生じないことになる。
【００３６】
【発明の効果】
以上述べた如く、本発明によれば、ＭＢＭＳサービスを受ける一群のＵＥに対するページング処理を、このＭＢＭＳサービス固有の識別子ＴＭＧＩを用いて行っているので、ページングメッセージをＵＥ群に対して共通とすることができ、ページング処理時の輻輳がなくなり、またページング処理がＵＥ毎ではなくなるので、ＭＢＭＳユーザ間の影響が減少するという効果がある。
【図面の簡単な説明】
【図１】本発明の実施の形態が適用される概略システム図である。
【図２】本発明におけるＲＮＣの実施の形態を示す機能ブロック図である。
【図３】本発明の実施の形態の動作を示すシーケンス図である。
【図４】本発明の実施の形態におけるＰａｇｉｎｇ  Ｏｃｃａｓｉｏｎ  （ＰＯ）の決定のための式を示す図である。
【図５】本発明の実施の形態におけるＰａｇｉｎｇ  Ｉｎｄｉｃａｔｏｒ（ＰＩ）の決定のための式を示す図である。
【図６】本発明の効果を説明するブロック図である。
【図７】ページング処理を説明するための図である。
【図８】ページング信号であるＳ−ＣＣＰＣＨに付随するＰＩＣＨのフレーム構成を示す図である。
【図９】１つのＳ−ＣＣＰＣＨによるＵＥのグループ分けを示す図である。
【図１０】図９によるグループ分けされたグループ毎のＰａｇｉｎｇ  Ｏｃｃａｓｉｏｎ  の例を示す図である。
【図１１】図９によるグループＡを、更にＰａｇｉｎｇ  Ｉｎｄｉｃａｔｏｒ（ＰＩ）によりグループ分けした場合の図である。
【図１２】ＰＩＣＨのＰＩビット列を示す図である。
【図１３】Ｎｐ  毎のＰＩの連続ビット数を示す図である。
【図１４】従来におけるＰａｇｉｎｇ  Ｏｃｃａｓｉｏｎ  （ＰＯ）の決定式を示す図である。
【図１５】従来におけるＰＩの決定式を示す図である。
【図１６】従来のページングメッセージを説明するための図である。
【符号の説明】
１  ＢＭＳＣ（Ｂｒｏａｄｃａｓｔ  Ｍｕｌｔｉｃａｓｔ  Ｓｅｒｖｉｃｅ  Ｃｅｎｔｅｒ）
２  ＧＧＳＮ（Ｇａｔｅｗａｙ  ＧＰＲＳ  Ｓｕｐｐｏｒｔ  Ｎｏｄｅ  ）
３  ＳＧＳＮ（Ｓｅｒｖｉｎｇ  ＧＰＲＳ  Ｓｕｐｐｏｒｔ  Ｎｏｄｅ  ）
４，５  ＲＮＣ（（Ｒａｄｉｏ  Ｎｅｔｗｏｒｋ  Ｃｏｎｔｒｏｌｌｅｒ：無線制御装置）
６〜８  ＮｏｄｅＢ（無線基地局）
９〜１１  セル
２０  ＵＥ（Ｕｓｅｒ  Ｅｑｕｉｐｍｅｎｔ：無線端末）
２１  ＴＭＧＩ取得部
２２  ＰＡＧＩＮＧ  ＯＣＣＡＳＩＯＮ  決定部
２３  ＰＩビットマップ決定部
２４  ページングメッセージ作成部
２５  通信部
２６  制御部（ＣＰＵ）
２７  メモリ
２８  バス
【図１】
2004221759.tif 000007
【図２】
2004221759.tif 000008
【図３】
2004221759.tif 000009
【図４】
2004221759.tif 000010
【図５】
2004221759.tif 000011
【図６】
2004221759.tif 000012
【図７】
2004221759.tif 000013
【図８】
2004221759.tif 000014
【図９】
2004221759.tif 000015
【図１０】
2004221759.tif 000016
【図１１】
2004221759.tif 000017
【図１２】
2004221759.tif 000018
【図１３】
2004221759.tif 000019
【図１４】
2004221759.tif 000020
【図１５】
2004221759.tif 000021
【図１６】
2004221759.tif 000022